(57)【要約】【課題】印刷時における諸条件が変化した場合でも、次のシートがニップ部に到達するまでの間に定着部材の温度を設定温度に収束させることが可能な画像形成装置、及び温度制御方法を提供すること。【解決手段】画像形成装置は、最初のシートの搬送期間中における定着部材の温度が所定の設定温度から低下する第１タイミングを取得し（ステップＳ１２）、第１タイミングから所定の取得時間ごとに当該取得時間における温度センサーによって検出される定着部材の温度の変化量を取得し（ステップＳ１３）、前記変化量各々に基づいて、第１タイミングから継続する定着部材の温度低下が停止する第２タイミングを取得し（ステップＳ１４）、前記変化量各々に基づいて、二番目以降に搬送されるシート各々の搬送期間中における第３タイミングから第４タイミングまでの間における取得時間ごとの加熱部の出力の上昇率を設定する（ステップＳ１７）【選択図】図３
2019056793.tif 000002
【特許請求の範囲】
【請求項１】
予め定められた設定温度に加熱される定着部材、及び前記定着部材に圧接される加圧部材を有し、前記定着部材及び前記加圧部材によって形成されるニップ部でトナー像をシートに定着させる定着部と、
駆動電力の供給を受けて前記定着部材を加熱する加熱部と、
前記定着部材の温度を検出する温度センサーと、
前記ニップ部を経由する搬送経路に沿って順次搬送される複数枚のシート各々に画像データに基づく画像を形成する印刷処理を実行する印刷処理部と、
前記印刷処理で最初に搬送されるシートの搬送期間中における前記定着部材の温度が前記設定温度から低下する第１タイミングを取得する第１取得処理部と、
前記第１タイミングから予め定められた取得時間ごとに当該取得時間における前記温度センサーによって検出される前記定着部材の温度の変化量を取得する第２取得処理部と、
前記第２取得処理部によって取得される前記変化量各々に基づいて、前記第１タイミングから継続する前記定着部材の温度低下が停止する第２タイミングを取得する第３取得処理部と、
前記第２取得処理部によって取得される前記変化量各々に基づいて、前記印刷処理で二番目以降に搬送されるシート各々の搬送期間中における前記第１タイミングに対応する第３タイミングから前記第２タイミングに対応する第４タイミングまでの間における前記取得時間ごとの前記加熱部の出力の上昇量を設定する設定処理部と、
前記印刷処理で二番目以降のシートが搬送される度に、前記設定処理部によって設定された前記取得時間ごとの前記上昇量に応じて前記駆動電力を上昇させる給電制御部と、
を備える画像形成装置。
【請求項２】
前記第１取得処理部は、前記印刷処理で最初に搬送されるシートが前記ニップ部に到達する到達タイミングを前記第１タイミングとして取得する、
請求項１に記載の画像形成装置。
【請求項３】
前記第２取得処理部によって取得される前記第１タイミングから前記取得時間が経過するまでの間における前記変化量に基づいて、前記印刷処理で最初に搬送されたシートの種類を判定する判定処理部と、
前記判定処理部によって判定されたシートの種類に基づいて、前記設定温度を変更する変更処理部と、
を備える請求項１又は２に記載の画像形成装置。
【請求項４】
前記印刷処理部は、前記印刷処理における最初に搬送されるシートと二番目に搬送されるシートとの間の搬送間隔が二番目以降に搬送されるシート間の搬送間隔よりも長くなるように、シート各々を搬送させる、
請求項１〜３のいずれかに記載の画像形成装置。
【請求項５】
前記印刷処理部は、前記印刷処理における最初に搬送されるシートに白画素のみを含む特定画像データに基づく画像を形成させる、
請求項１〜４のいずれかに記載の画像形成装置。
【請求項６】
予め定められた設定温度に加熱される定着部材、及び前記定着部材に圧接される加圧部材を有し、前記定着部材及び前記加圧部材によって形成されるニップ部でトナー像をシートに定着させる定着部と、駆動電力の供給を受けて前記定着部材を加熱する加熱部と、前記定着部材の温度を検出する温度センサーと、を備える画像形成装置で実行される温度制御方法であって、
前記ニップ部を経由する搬送経路に沿って順次搬送される複数枚のシート各々に画像データに基づく画像を形成する印刷処理を実行する印刷ステップと、
前記印刷処理で最初に搬送されるシートの搬送期間中における前記定着部材の温度が前記設定温度から低下する第１タイミングを取得する第１取得ステップと、
前記第１タイミングから予め定められた取得時間ごとに当該取得時間における前記温度センサーによって検出される前記定着部材の温度の変化量を取得する第２取得ステップと、
前記第２取得ステップによって取得される前記変化量各々に基づいて、前記第１タイミングから継続する前記定着部材の温度低下が停止する第２タイミングを取得する第３取得ステップと、
前記第２取得ステップによって取得される前記変化量各々に基づいて、前記印刷処理で二番目以降に搬送されるシート各々の搬送期間中における前記第１タイミングに対応する第３タイミングから前記第２タイミングに対応する第４タイミングまでの間における前記取得時間ごとの前記加熱部の出力の上昇量を設定する設定ステップと、
前記印刷処理で二番目以降のシートが搬送される度に、前記設定ステップによって設定された前記取得時間ごとの前記上昇量に応じて前記駆動電力を上昇させる給電制御ステップと、
を含む温度制御方法。
【発明の詳細な説明】
【技術分野】
【０００１】
本発明は、画像形成装置、及び画像形成装置で実行される温度制御方法に関する。
【背景技術】
【０００２】
電子写真方式の画像形成装置は、シートに転写されたトナー像をそのシートに定着させる定着部を備える。前記定着部は、定着部材と、加圧部材とを備える。前記定着部材は、予め定められた設定温度に加熱される。前記加圧部材は、前記定着部材に圧接されている。前記定着部では、シートが前記定着部材と前記加圧部材との間で形成されるニップ部を通過する際に、当該シートに転写されたトナー像が加熱及び加圧されて当該シートに定着される。なお、画像が形成されるシートの種類を検出して、その検出結果に基づいて、前記設定温度を設定可能な画像形成装置が知られている（特許文献１参照）。
【先行技術文献】
【特許文献】
【０００３】
【特許文献１】特開２００４−２７７０５７号公報
【発明の概要】
【発明が解決しようとする課題】
【０００４】
ところで、シートが前記ニップ部を通過する際に前記定着部材の温度が低下することがある。この温度低下の度合いが大きいと、前記定着部材の温度が前記設定温度に戻る前に次のシートが前記ニップ部に到達して、画像形成装置で出力される印刷物の画質が低下することがある。これに対し、シートが前記ニップ部を通過する間、前記定着部材を加熱する加熱部の出力を予め設定された上昇量に応じて上昇させるフィードフォワード制御を実行して、前記定着部材における温度低下を抑制することが可能である。
【０００５】
ここで、シートが前記ニップ部を通過する際の前記定着部材における温度低下量は、印刷時における周辺温度及び当該シートの厚みなどによって変化する。そのため、従来のフィードフォワード制御では、前記上昇量で補償される温度低下量と実際の前記定着部材における温度低下量との間にずれが生じることがある。このずれが大きい場合には、次のシートが前記ニップ部に到達するまでの間に前記定着部材の温度が前記設定温度に収束せず、それによって画像形成装置で出力される印刷物の画質が低下する。
【０００６】
本発明の目的は、印刷時における諸条件が変化した場合でも、次のシートがニップ部に到達するまでの間に定着部材の温度を設定温度に収束させることが可能な画像形成装置、及び温度制御方法を提供することにある。
【課題を解決するための手段】
【０００７】
本発明の一の局面に係る画像形成装置は、定着部と、加熱部と、温度センサーと、印刷処理部と、第１取得処理部と、第２取得処理部と、第３取得処理部と、設定処理部と、給電制御部とを備える。前記定着部は、予め定められた設定温度に加熱される定着部材、及び前記定着部材に圧接される加圧部材を有し、前記定着部材及び前記加圧部材によって形成されるニップ部でトナー像をシートに定着させる。前記加熱部は、駆動電力の供給を受けて前記定着部材を加熱する。前記温度センサーは、前記定着部材の温度を検出する。前記印刷処理部は、前記ニップ部を経由する搬送経路に沿って順次搬送される複数枚のシート各々に画像データに基づく画像を形成する印刷処理を実行する。前記第１取得処理部は、前記印刷処理で最初に搬送されるシートの搬送期間中における前記定着部材の温度が前記設定温度から低下する第１タイミングを取得する。前記第２取得処理部は、前記第１タイミングから予め定められた取得時間ごとに当該取得時間における前記温度センサーによって検出される前記定着部材の温度の変化量を取得する。前記第３取得処理部は、前記第２取得処理部によって取得される前記変化量各々に基づいて、前記第１タイミングから継続する前記定着部材の温度低下が停止する第２タイミングを取得する。前記設定処理部は、前記第２取得処理部によって取得される前記変化量各々に基づいて、前記印刷処理で二番目以降に搬送されるシート各々の搬送期間中における前記第１タイミングに対応する第３タイミングから前記第２タイミングに対応する第４タイミングまでの間における前記取得時間ごとの前記加熱部の出力の上昇量を設定する。前記給電制御部は、前記印刷処理で二番目以降のシートが搬送される度に、前記設定処理部によって設定された前記取得時間ごとの前記上昇量に応じて前記駆動電力を上昇させる。
【０００８】
本発明の他の局面に係る温度制御方法は、予め定められた設定温度に加熱される定着部材、及び前記定着部材に圧接される加圧部材を有し、前記定着部材及び前記加圧部材によって形成されるニップ部でトナー像をシートに定着させる定着部と、駆動電力の供給を受けて前記定着部材を加熱する加熱部と、前記定着部材の温度を検出する温度センサーと、を備える画像形成装置で実行され、以下の印刷ステップ、第１取得ステップ、第２取得ステップ、第３取得ステップ、設定ステップ、及び給電制御ステップを含む。前記印刷ステップでは、前記ニップ部を経由する搬送経路に沿って順次搬送される複数枚のシート各々に画像データに基づく画像を形成する印刷処理が実行される。前記第１取得ステップでは、前記印刷処理で最初に搬送されるシートの搬送期間中における前記定着部材の温度が前記設定温度から低下する第１タイミングが取得される。前記第２取得ステップでは、前記第１タイミングから予め定められた取得時間ごとに当該取得時間における前記温度センサーによって検出される前記定着部材の温度の変化量が取得される。前記第３取得ステップでは、前記第２取得ステップによって取得される前記変化量各々に基づいて、前記第１タイミングから継続する前記定着部材の温度低下が停止する第２タイミングが取得される。前記設定ステップでは、前記第２取得ステップによって取得される前記変化量各々に基づいて、前記印刷処理で二番目以降に搬送されるシート各々の搬送期間中における前記第１タイミングに対応する第３タイミングから前記第２タイミングに対応する第４タイミングまでの間における前記取得時間ごとの前記加熱部の出力の上昇量が設定される。前記給電制御ステップでは、前記印刷処理で二番目以降のシートが搬送される度に、前記設定ステップによって設定された前記取得時間ごとの前記上昇量に応じて前記駆動電力が上昇される。
【発明の効果】
【０００９】
本発明によれば、印刷時における諸条件が変化した場合でも、次のシートがニップ部に到達するまでの間に定着部材の温度を設定温度に収束させることが可能である。
【図面の簡単な説明】
【００１０】
【図１】図１は、本発明の実施形態に係る画像形成装置の構成を示す図である。
【図２】図２は、本発明の実施形態に係る画像形成装置の制御部の構成を示すブロック図である。
【図３】図３は、本発明の実施形態に係る画像形成装置で実行される温度制御処理の一例を示すフローチャートである。
【図４】図４は、本発明の実施形態に係る画像形成装置の定着部材における温度変化を示す図である。
【図５】図５は、本発明の実施形態に係る画像形成装置の制御部によって設定される加熱部の出力の上昇率を示す図である。
【図６】図６は、本発明の実施形態に係る画像形成装置の定着部材における温度変化を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１３】
画像形成装置１０は、原稿から画像データを読み取るスキャン機能、及び画像データに基づいて画像を形成するプリント機能と共に、ファクシミリ機能、及びコピー機能などの複数の機能を有する複合機である。また、本発明は、プリンター装置、ファクシミリ装置、及びコピー機などの画像形成装置に適用可能である。
【００１４】
図１及び図２に示されるように、画像形成装置１０は、ＡＤＦ（自動原稿搬送装置）１、画像読取部２、画像形成部３、シート搬送部４、制御部５、及び操作表示部（不図示）を備える。
【００１５】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。前記操作表示部は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００１７】
画像形成部３は、画像読取部２で読み取られた画像データに基づいて、電子写真方式で画像を形成することが可能である。また、画像形成部３は、外部のパーソナルコンピューター等の情報処理装置から入力された画像データに基づいて、画像を形成することも可能である。具体的に、画像形成部３は、図１に示されるように、感光体ドラム３１、帯電装置３２、光走査装置３３、現像装置３４、転写装置３５、クリーニング装置３６、及び定着装置３７を備える。
【００１８】
シート搬送部４は、画像形成部３にシートを供給する。具体的に、シート搬送部４は、図１に示されるように、給紙カセット４１、給送機構４２、搬送路４３、レジストローラー４４、排出ローラー４５、排紙トレイ４６、及びシートセンサー４７を備える。
【００１９】
給紙カセット４１は、画像形成部３によって画像が形成されるシートを収容する。例えば、給紙カセット４１には、紙、コート紙、ハガキ、封筒、及びＯＨＰシートなどのシート部材が収容される。給送機構４２は、図１に示されるように、ピックアップローラー４２１、フィードローラー４２２、及びリタードローラー４２３を備え、搬送路４３にシートを給送する。搬送路４３は、給紙カセット４１及び排紙トレイ４６の間に形成されるシートの移動通路である。図１に示されるように、搬送路４３には、レジストローラー４４及び排出ローラー４５を含む複数のローラーが設けられている。前記複数のローラーは、不図示のモーターで生じる駆動力が伝達されて回転することで、シートを搬送路４３に沿って図１に示される搬送方向Ｄ１へ搬送する。また、図１に示されるように、搬送路４３には、画像形成部３の感光体ドラム３１、転写装置３５、及び定着装置３７が設けられている。ここに、搬送路４３によって規定されるシートの搬送経路が、本発明における搬送経路の一例である。シートセンサー４７は、搬送路４３におけるレジストローラー４４よりも搬送方向Ｄ１の上流側に設けられ、シートの通過を検出する。
【００２０】
ここで、画像形成部３による画像の形成手順について説明する。まず、帯電装置３２によって感光体ドラム３１の表面が所定の電位に一様に帯電される。次に、光走査装置３３によって感光体ドラム３１の表面に画像データに基づく光が照射される。これにより、感光体ドラム３１の表面に画像データに対応する静電潜像が形成される。
【００２１】
そして、感光体ドラム３１の表面に形成された静電潜像は、現像装置３４によってトナー像として現像（可視像化）される。感光体ドラム３１の表面に形成されたトナー像は、感光体ドラム３１によって転写装置３５による転写位置Ｐ１（図１参照）へ搬送される。なお、現像装置３４には、画像形成部３に着脱可能なトナーコンテナ３４Ａ（図１参照）からトナーが補給される。
【００２２】
一方、シート搬送部４は、画像形成部３による画像形成動作と並行して、転写位置Ｐ１にシートを搬送する。具体的に、給紙カセット４１は、給紙カセット４１の底部に設けられた不図示のリフト板を用いて、給紙カセット４１に収容されているシートを給送機構４２のピックアップローラー４２１との接触位置まで持ち上げる。給送機構４２は、前記リフト板によって持ち上げられたシートを搬送路４３へ給送する。
【００２３】
レジストローラー４４は、感光体ドラム３１によってトナー像が転写位置Ｐ１へ搬送されるタイミングに合わせて、転写位置Ｐ１にシートを搬送する。具体的に、画像形成装置１０では、シートセンサー４７によるシートの通過の検出タイミングに基づいて、レジストローラー４４によるシートの搬送タイミングが設定される。そして、レジストローラー４４は、設定された前記搬送タイミングに基づいて、シートを転写位置Ｐ１へ搬送する。これにより、感光体ドラム３１の表面に形成されたトナー像がシートの表面に転写されて、シートに画像が形成される。なお、トナー像の転写後に感光体ドラム３１の表面に残存するトナーは、クリーニング装置３６によって除去される。
【００２４】
転写位置Ｐ１でトナー像が転写されたシートは、定着装置３７へ搬送される。定着装置３７では、シートに転写されたトナー像がそのシートに定着される。定着装置３７でトナー像が定着されたシートは、排出ローラー４５によって排紙トレイ４６へ排出される。
【００２５】
［定着装置３７の構成］
次に、図１及び図２を参照しつつ、定着装置３７について説明する。
【００２６】
図１及び図２に示されるように、定着装置３７は、定着部材３７１、加圧部材３７２、加熱部３７３、温度センサー３７４、及び給電部３７５を備える。
【００２７】
定着部材３７１は、回転可能に設けられる。例えば、定着部材３７１はローラー状の部材である。定着部材３７１は、加熱部３７３によって予め定められた設定温度Ｘ１（図４参照）に加熱される。例えば、設定温度Ｘ１は１８０度である。なお、定着部材３７１は、ベルト状の部材であってもよい。
【００２８】
加圧部材３７２は、定着部材３７１に接触して回転可能に設けられる。例えば、加圧部材３７２はローラー状の部材である。加圧部材３７２は、不図示の付勢部材によって定着部材３７１へ向けて付勢される。これにより、定着部材３７１と加圧部材３７２との間で、所定の圧力を有するニップ部Ｐ２（図１参照）が形成される。
【００２９】
定着装置３７では、トナー像が転写されたシートがニップ部Ｐ２を通過する際に、そのシート上のトナー像が定着部材３７１によって加熱されると共に、定着部材３７１及び加圧部材３７２によって加圧される。これにより、シートに転写されたトナー像がそのシートに定着する。ここに、定着部材３７１、及び加圧部材３７２が、本発明における定着部の一例である。
【００３０】
加熱部３７３は、駆動電力の供給を受けて定着部材３７１を加熱する。例えば、加熱部３７３は、図１に示されるように、定着部材３７１の内部に設けられる。例えば、加熱部３７３は、ハロゲンヒーター又はＩＨヒーターである。
【００３１】
温度センサー３７４は、定着部材３７１の表面の温度を検出する。例えば、温度センサー３７４は、図１に示されるように、定着部材３７１の表面から離間した位置に設けられる。例えば、温度センサー３７４は、定着部材３７１の表面から放射される赤外線を集光する光学レンズ、及び前記光学レンズによって集光された赤外線を受光して、受光量に応じた電圧を出力する熱電対などを備える。温度センサー３７４は、定着部材３７１の表面の温度に応じた電気信号Ｓｉｇ１（図２参照）を出力する。
【００３２】
給電部３７５は、加熱部３７３に前記駆動電力を供給する。具体的に、給電部３７５は、制御部５から入力される電気信号Ｓｉｇ２（図２参照）に応じた前記駆動電力を出力可能な電源である。例えば、電気信号Ｓｉｇ２はＰＷＭ信号である。
【００３３】
ここで、制御部５は、温度センサー３７４によって検出される定着部材３７１の現在の温度に基づいて、定着部材３７１の温度が目標温度である設定温度Ｘ１になるように、加熱部３７３の出力を制御するフィードバック制御を実行する。例えば、制御部５は、温度センサー３７４から入力される電気信号Ｓｉｇ１によって示される定着部材３７１の温度と設定温度Ｘ１との差に応じたデューティー比の電気信号Ｓｉｇ２を生成して、生成された電気信号Ｓｉｇ２を給電部３７５に入力する。
【００３４】
ところで、シートがニップ部Ｐ２を通過する際に定着部材３７１の温度が低下することがある。この温度低下の度合いが大きいと、定着部材３７１の温度が前記フィードバック制御によって設定温度Ｘ１に戻る前に次のシートがニップ部Ｐ２に到達して、画像形成装置１０で出力される印刷物の画質が低下することがある。これに対し、シートがニップ部Ｐ２を通過する間、加熱部３７３の出力を予め設定された上昇量に応じて上昇させるフィードフォワード制御を実行して、定着部材３７１における温度低下を抑制することが可能である。
【００３５】
ここで、シートがニップ部Ｐ２を通過する際の定着部材３７１における温度低下量は、印刷時における周辺温度及び当該シートの厚みなどによって変化する。そのため、従来のフィードフォワード制御では、前記上昇量で補償される温度低下量と実際の定着部材３７１における温度低下量との間にずれが生じることがある。このずれが大きい場合には、次のシートがニップ部Ｐ２に到達するまでの間に定着部材３７１の温度が設定温度Ｘ１に収束せず、それによって画像形成装置１０で出力される印刷物の画質が低下する。
【００３６】
これに対し、本発明の実施形態に係る画像形成装置１０では、以下に説明するように、印刷時における諸条件が変化した場合でも、次のシートがニップ部Ｐ２に到達するまでの間に定着部材３７１の温度を設定温度Ｘ１に収束させることが可能である。
【００３７】
具体的に、制御部５の前記ＲＯＭには、前記ＣＰＵに後述の温度制御処理（図３のフローチャート参照）を実行させるための温度制御プログラムが予め記憶されている。なお、前記温度制御プログラムは、ＣＤ、ＤＶＤ、フラッシュメモリーなどのコンピューター読み取り可能な記録媒体に記録されており、前記記録媒体から読み取られて前記ＥＥＰＲＯＭなどの記憶装置にインストールされるものであってもよい。
【００３８】
そして、制御部５は、図２に示されるように、印刷処理部５１、第１取得処理部５２、第２取得処理部５３、第３取得処理部５４、設定処理部５５、判定処理部５６、変更処理部５７、及び給電制御部５８を含む。具体的に、制御部５は、前記ＣＰＵを用いて前記ＲＯＭに記憶されている前記温度制御プログラムを実行する。これにより、制御部５は、印刷処理部５１、第１取得処理部５２、第２取得処理部５３、第３取得処理部５４、設定処理部５５、判定処理部５６、変更処理部５７、及び給電制御部５８として機能する。
【００３９】
印刷処理部５１は、ニップ部Ｐ２を経由する搬送経路に沿って順次搬送される複数枚のシート各々に、画像データに基づく画像を形成する印刷処理を実行する。
【００４０】
具体的に、印刷処理部５１は、画像形成部３及びシート搬送部４それぞれの各部の動作を制御して、前記印刷処理を実行する。即ち、印刷処理部５１は、シート搬送部４の各部の動作を制御して、給紙カセット４１に収容されているシートを順次排紙トレイ４６へ向けて搬送させる。また、印刷処理部５１は、画像形成部３の各部の動作を制御して、シート搬送部４によって搬送されるシート各々に画像データに基づく画像を形成させる。
【００４１】
例えば、印刷処理部５１は、前記印刷処理の実行開始後にシート搬送部４によって最初に搬送されるシートと二番目に搬送されるシートとの間の搬送間隔が二番目以降に搬送されるシート間の搬送間隔よりも長くなるように、シート搬送部４にシート各々を搬送させる。
【００４２】
また、印刷処理部５１は、前記印刷処理における最初に搬送されるシートに白画素のみを含む特定画像データに基づく画像を形成させる。例えば、印刷処理部５１は、１０ページ分のページ画像を含む画像データに基づいて当該ページ画像各々を一部ずつ片面印刷する前記印刷処理を実行する場合に、最初に搬送されるシートに前記特定画像データに基づく画像を形成させる。そして、印刷処理部５１は、２番目以降に搬送されるシート各々に前記ページ画像各々を印刷する。
【００４３】
なお、印刷処理部５１は、前記印刷処理における最初に搬送されるシートを含むシート各々を予め定められた間隔で搬送させてもよい。また、印刷処理部５１は、前記印刷処理における最初に搬送されるシートに、画像読取部２によって読み取られ、又は外部の情報処理装置から入力された画像データに基づく画像を形成させてもよい。
【００４４】
第１取得処理部５２は、前記印刷処理で最初に搬送されるシートの搬送期間中における、定着部材３７１の温度が設定温度Ｘ１から低下する第１タイミングＡ１（図４参照）を取得する。
【００４５】
例えば、第１取得処理部５２は、前記印刷処理で最初に搬送されるシートがニップ部Ｐ２に到達する到達タイミングを、第１タイミングＡ１として取得する。
【００４６】
例えば、画像形成装置１０では、前記到達タイミングを示す第１タイミング情報が予め前記ＲＯＭに格納されている。例えば、前記第１タイミング情報は、シート搬送部４によって搬送されるシートの、シートセンサー４７によるシートの検出位置からニップ部Ｐ２までの移動時間を示す情報である。なお、前記第１タイミング情報は、シート搬送部４によって搬送されるシートの、給紙カセット４１からニップ部Ｐ２までの移動時間を示す情報であってもよい。
【００４７】
第１取得処理部５２は、前記ＲＯＭに格納されている前記第１タイミング情報を読み出すことで、前記到達タイミングを取得する。
【００４８】
ここで、図４には、前記印刷処理で最初に搬送されるシートがニップ部Ｐ２を通過する際に生じる、定着部材３７１の温度変化の一例が示されている。図４における縦軸は、定着部材３７１の温度を示しており、横軸は時間の経過を示している。また、図４におけるＸ１は上述の設定温度を示している。
【００４９】
図４に示されるように、定着部材３７１の温度は、第１タイミングＡ１が到来するまでの間は、前記フィードバック制御によって設定温度Ｘ１に維持される。第１タイミングＡ１が経過すると、定着部材３７１の温度は、設定温度Ｘ１から低下する。第１タイミングＡ１の経過直後における定着部材３７１の温度の低下速度は、画像形成装置１０の機内温度及び機内湿度、並びにニップ部Ｐ２に到達したシートの材質及び厚みなどによって変化する。例えば、画像形成装置１０の機内温度が低いほど、第１タイミングＡ１の経過直後における定着部材３７１の温度の低下速度は高くなる。また、画像形成装置１０の機内湿度が高いほど、第１タイミングＡ１の経過直後における定着部材３７１の温度の低下速度は高くなる。また、ニップ部Ｐ２に到達したシートの厚みが厚いほど、第１タイミングＡ１の経過直後における定着部材３７１の温度の低下速度は高くなる。
【００５０】
第１タイミングＡ１経過後の定着部材３７１の温度の低下速度は、前記フィードバック制御によって加熱部３７３の出力が定着部材３７１の温度低下に応じて上昇されることで、第１タイミングＡ１からの時間の経過と共に徐々に減少してゼロになる。その後、シートがニップ部Ｐ２を通過することで定着部材３７１の温度は上昇して、時間の経過と共に定着部材３７１の温度は設定温度Ｘ１に収束する。
【００５１】
第２取得処理部５３は、第１取得処理部５２によって取得された第１タイミングＡ１から予め定められた取得時間Ｔ１（図４参照）ごとに、当該取得時間Ｔ１における温度センサー３７４によって検出される定着部材３７１の温度の変化量Ｄ１１〜Ｄ１６を取得する。
【００５２】
ここで、取得時間Ｔ１は、シート搬送部４によって搬送されるシートの先端がニップ部Ｐ２に到達してから当該シートの後端がニップ部Ｐ２を通過するまでの間の時間よりも短い、予め定められた時間である。取得時間Ｔ１は、短いほど、後述する第２タイミングＡ２（図４参照）の取得精度を向上させることが可能である。例えば、取得時間Ｔ１は、画像形成装置１０の製造時に画像形成装置１０の製造担当者等によって設定される。また、取得時間Ｔ１は、操作表示部６におけるユーザー操作によって任意に設定されてもよい。なお、図４には、説明の便宜のため、本来のものより長期に定められた取得時間Ｔ１が示されている。
【００５３】
例えば、第２取得処理部５３は、第１タイミングＡ１で温度センサー３７４を用いて定着部材３７１の温度を取得する。なお、第２取得処理部５３は、シートセンサー４７によるシートの検出時から、第１取得処理部５２によって取得された前記第１タイミング情報が示す時間が経過した場合に、第１タイミングＡ１が到来したと判断する。また、第２取得処理部５３は、第１タイミングＡ１から取得時間Ｔ１が経過したタイミングで、温度センサー３７４を用いて定着部材３７１の温度を取得する。そして、第２取得処理部５３は、第１タイミングＡ１から取得時間Ｔ１が経過したタイミングで取得される温度センサー３７４による検出温度から、第１タイミングＡ１で取得される温度センサー３７４による検出温度を減算して、変化量Ｄ１１を取得する。同様に、第２取得処理部５３は、変化量Ｄ１２〜Ｄ１６を取得する。なお、以下の説明では、第２取得処理部５３によって任意のタイミングで取得される変化量を指して、変化量Ｄ１Ｘと呼称することがある。
【００５４】
なお、第２取得処理部５３は、シートセンサー４７によるシートの検出時、又はシート搬送部４によるシートの搬送の開始時から、取得時間Ｔ１ごとに、当該取得時間Ｔ１における温度センサー３７４によって検出される定着部材３７１の温度の変化量を取得してもよい。この場合、第１取得処理部５２は、第２取得処理部５３によって取得される定着部材３７１の温度の変化量に基づいて、第１タイミングＡ１を取得してもよい。例えば、第１取得処理部５２は、シートセンサー４７によるシートの検出時から、第２取得処理部５３によって取得される定着部材３７１の温度の変化量が０からマイナスの値に変化した時より取得時間Ｔ１前の時までの経過時間を示す情報を、第１タイミングＡ１として取得してもよい。
【００５５】
第３取得処理部５４は、第２取得処理部５３によって取得される変化量Ｄ１Ｘに基づいて、第１タイミングＡ１から継続する定着部材３７１の温度低下が停止する第２タイミングＡ２（図４参照）を取得する。
【００５６】
例えば、第３取得処理部５４は、第２取得処理部５３によって変化量Ｄ１Ｘが取得される毎に、当該変化量Ｄ１Ｘが０及びプラスの値のいずれかであるか否かを判断する。そして、第３取得処理部５４は、変化量Ｄ１Ｘが０及びプラスの値のいずれかであると判断した場合に、当該変化量Ｄ１Ｘが取得されたタイミングより取得時間Ｔ１前のタイミングを第２タイミングＡ２として取得する。
【００５７】
例えば、図４に示された例において、変化量Ｄ１１〜Ｄ１５はマイナスの値であるのに対して、変化量Ｄ１６はプラスの値である。そのため、第３取得処理部５４は、変化量Ｄ１６が取得されたタイミングＡ５（図４参照）より取得時間Ｔ１前のタイミングを第２タイミングＡ２として取得する。例えば、第３取得処理部５４は、第１タイミングＡ１から第２タイミングＡ２までの時間を示す第２タイミング情報を、第２タイミングＡ２として取得する。
【００５８】
なお、第３取得処理部５４は、第２取得処理部５３による定着部材３７１の温度の変化量を取得する処理と並行して、第２タイミングＡ２を取得する処理を実行してよい。この場合、第２取得処理部５３は、第３取得処理部５４によって第２タイミングＡ２が取得された後は、定着部材３７１の温度の変化量を取得する処理を実行しなくてよい。
【００５９】
設定処理部５５は、第２取得処理部５３によって取得される変化量Ｄ１１〜１６各々に基づいて、前記印刷処理で二番目以降に搬送されるシート各々の搬送期間中における第３タイミングＡ３（図５参照）から第４タイミングＡ４（図５参照）までの間における、取得時間Ｔ１ごとの加熱部３７３の出力の上昇率Ｕ１１〜Ｕ１５（図５参照）を設定する。
【００６０】
ここで、第３タイミングＡ３は、前記印刷処理で二番目以降に搬送されるシート各々の搬送期間中における第１タイミングＡ１に対応するタイミングである。例えば、第３タイミングＡ３は、前記印刷処理で二番目以降に搬送されるシート各々のシートセンサー４７による検出時から前記第１タイミング情報が示す時間が経過したタイミングである。
【００６１】
また、第４タイミングＡ４は、前記印刷処理で二番目以降に搬送されるシート各々の搬送期間中における第２タイミングＡ２に対応するタイミングである。例えば、第４タイミングＡ４は、第３タイミングＡ３から前記第２タイミング情報が示す時間が経過したタイミングである。
【００６２】
具体的に、設定処理部５５は、第２取得処理部５３によって取得される変化量Ｄ１１〜１６のうち、第２タイミングＡ２までに取得された変化量Ｄ１１〜１５各々に基づいて、第３タイミングＡ３から第４タイミングＡ４までの間における、取得時間Ｔ１ごとの加熱部３７３の出力の上昇率Ｕ１１〜Ｕ１５を設定する。
【００６３】
ここで、上昇率Ｕ１１〜Ｕ１５は、第３タイミングＡ３が到来する直前の前記駆動電力に対する増加割合（パーセント）を示す値である。例えば、上昇率Ｕ１１は３０パーセント、上昇率Ｕ１２は１５パーセント、上昇率Ｕ１３は７パーセント、上昇率Ｕ１４は３パーセント、上昇率Ｕ１５は１パーセントである。ここに、上昇率Ｕ１１〜Ｕ１５が、本発明における上昇量の一例である。なお、以下の説明では、設定処理部５５によって設定されるいずれかの上昇率を指して、上昇率Ｕ１Ｘと呼称することがある。
【００６４】
例えば、設定処理部５５は、第１タイミングＡ１（図４参照）から取得時間Ｔ１が経過したタイミングまでの変化量Ｄ１１に基づいて、第３タイミングＡ３（図５参照）から取得時間Ｔ１が経過したタイミングまでの間における上昇率Ｕ１１を設定する。
【００６５】
例えば、画像形成装置１０では、第２取得処理部５３によって取得される変化量Ｄ１Ｘと、設定処理部５５によって設定される上昇率Ｕ１Ｘとの対応関係を示す第１テーブルデータが予め前記ＲＯＭに格納されている。
【００６６】
設定処理部５５は、前記第１テーブルデータに基づいて、変化量Ｄ１１に対応する上昇率Ｕ１１を取得する。例えば、設定処理部５５は、取得された上昇率Ｕ１１を前記ＲＡＭの予め定められた記憶領域に格納することで、第３タイミングＡ３（図５参照）から取得時間Ｔ１が経過したタイミングまでの間における上昇率Ｕ１１を設定する。同様にして、設定処理部５５は、変化量Ｄ１２〜Ｄ１５に基づいて、上昇率Ｕ１２〜Ｕ１５を設定する。
【００６７】
なお、設定処理部５５は、予め定められた計算式を用いて、変化量Ｄ１１から変化量Ｄ１１に対応する上昇率Ｕ１１を取得してもよい。
【００６８】
判定処理部５６は、第２取得処理部５３によって取得される第１タイミングＡ１から取得時間Ｔ１が経過するまでの間における変化量Ｄ１１に基づいて、前記印刷処理で最初に搬送されたシートの種類を判定する。
【００６９】
例えば、画像形成装置１０では、第２取得処理部５３によって取得される変化量Ｄ１１と、シートの種類との対応関係を示す第２テーブルデータが予め前記ＲＯＭに格納されている。
【００７０】
判定処理部５６は、前記第２テーブルデータによって特定される、変化量Ｄ１１に対応するシートの種類を、前記印刷処理で最初に搬送されたシートの種類であると判定する。
【００７１】
変更処理部５７は、判定処理部５６によって判定されたシートの種類に基づいて、設定温度Ｘ１を変更する。
【００７２】
例えば、画像形成装置１０では、シートの種類と、当該種類のシートに転写されたトナー像の転写に最適な定着部材３７１の温度との対応関係を示す第３テーブルデータが予め前記ＲＯＭに格納されている。
【００７３】
変更処理部５７は、前記第３テーブルデータによって特定される、判定処理部５６によって判定されたシートの種類に対応する温度を、設定温度Ｘ１として設定する。
【００７４】
給電制御部５８は、前記印刷処理で二番目以降のシートが搬送される度に、設定処理部５５によって設定された取得時間Ｔ１ごとの上昇率Ｕ１Ｘに応じて、前記駆動電力を上昇させる。
【００７５】
例えば、給電制御部５８は、第３タイミングＡ３（図５参照）から取得時間Ｔ１が経過したタイミングまでの間、上昇率Ｕ１１に基づいて電気信号Ｓｉｇ２のデューティー比を増大させる。具体的に、給電制御部５８は、第３タイミングＡ３が到来する直前の前記駆動電力に上昇率Ｕ１１を乗算して得られる増加分だけ前記駆動電力の出力が増大するように、電気信号Ｓｉｇ２のデューティー比を増大させる。同様に、給電制御部５８は、上昇率Ｕ１２〜Ｕ１５各々に基づいて電気信号Ｓｉｇ２のデューティー比を増大させる。
【００７６】
［温度制御処理］
以下、図３を参照しつつ、画像形成装置１０において制御部５により実行される温度制御処理の手順の一例と共に、本発明における温度制御方法の手順の一例について説明する。ここで、ステップＳ１１、Ｓ１２・・・は、制御部５により実行される処理手順（ステップ）の番号を表している。なお、制御部５は、前記操作表示部において前記印刷処理の実行を指示するユーザー操作が行われた場合、又は外部の情報処理装置から印刷ジョブが送信された場合に、前記温度制御処理を実行する。
【００７７】
＜ステップＳ１１＞
まず、ステップＳ１１において、制御部５は、前記印刷処理を開始する。ここに、ステップＳ１１の処理が、本発明における印刷ステップの一例であって、制御部５の印刷処理部５１により実行される。
【００７８】
具体的に、制御部５は、シート搬送部４の各部の動作を制御して、給紙カセット４１に収容されているシートを順次排紙トレイ４６へ向けて搬送させる。また、制御部５は、画像形成部３の各部の動作を制御して、シート搬送部４によって搬送されるシート各々に画像データに基づく画像を形成させる。
【００７９】
ここで、制御部５は、前記印刷処理における最初に搬送されるシートと二番目に搬送されるシートとの間の搬送間隔が二番目以降に搬送されるシート間の搬送間隔よりも長くなるように、シート各々を搬送させる。これにより、二番目に搬送されるシートが定着装置３７に到達するまでの間に、最初のシートがニップ部Ｐ２を通過したことによって低下した定着部材３７１の温度を設定温度Ｘ１に収束させることが可能となる。
【００８０】
また、制御部５は、前記印刷処理における最初に搬送されるシートに白画素のみを含む前記特定画像データに基づく画像を形成させる。これにより、トナー像の定着中における定着部材３７１の温度の差に起因して、前記印刷処理で最初に搬送されるシートに印刷される画像の画質と２番目以降に搬送されるシート各々に印刷される画像の画質との間に差が生じることが回避される。
【００８１】
＜ステップＳ１２＞
ステップＳ１２において、制御部５は、ステップＳ１１で開始された前記印刷処理で最初に搬送されるシートの搬送期間中における、定着部材３７１の温度が設定温度Ｘ１から低下する第１タイミングＡ１（図４参照）を取得する。ここに、ステップＳ１２の処理が、本発明における第１取得ステップの一例であって、制御部５の第１取得処理部５２により実行される。
【００８２】
例えば、制御部５は、前記ＲＯＭから読み出される前記第１タイミング情報を、第１タイミングＡ１として取得する。これにより、シートセンサー４７によるシートの検出時、又はシート搬送部４によるシートの搬送の開始時から温度センサー３７４による検出温度を監視して第１タイミングＡ１を取得する構成と比較して、処理を簡素化させることが可能である。
【００８３】
＜ステップＳ１３＞
ステップＳ１３において、制御部５は、ステップＳ１２によって取得された第１タイミングＡ１から取得時間Ｔ１（図４参照）ごとに、当該取得時間Ｔ１における温度センサー３７４によって検出される定着部材３７１の温度の変化量Ｄ１１〜Ｄ１６を取得する。ここに、ステップＳ１３の処理が、本発明における第２取得ステップの一例であって、制御部５の第２取得処理部５３により実行される。
【００８４】
例えば、制御部５は、第１タイミングＡ１から取得時間Ｔ１が経過したタイミングにおける温度センサー３７４による検出温度から、第１タイミングＡ１における温度センサー３７４による検出温度を減算して、変化量Ｄ１１を取得する。同様に、制御部５は、変化量Ｄ１２〜Ｄ１６を取得する。
【００８５】
＜ステップＳ１４＞
ステップＳ１４において、制御部５は、ステップＳ１３によって取得される変化量Ｄ１Ｘに基づいて、第１タイミングＡ１から継続する定着部材３７１の温度低下が停止する第２タイミングＡ２（図４参照）を取得する。ここに、ステップＳ１４の処理が、本発明における第３取得ステップの一例であって、制御部５の第３取得処理部５４により実行される。
【００８６】
例えば、制御部５は、ステップＳ１３によって変化量Ｄ１Ｘが取得される毎に、当該変化量Ｄ１Ｘが０及びプラスの値のいずれかであるか否かを判断する。そして、制御部５は、変化量Ｄ１Ｘが０及びプラスの値のいずれかであると判断した場合に、当該変化量Ｄ１Ｘが取得されたタイミングより取得時間Ｔ１前のタイミングを第２タイミングＡ２として取得する。
【００８７】
＜ステップＳ１５＞
ステップＳ１５において、制御部５は、ステップＳ１３によって取得される第１タイミングＡ１から取得時間Ｔ１が経過するまでの間における変化量Ｄ１１に基づいて、前記印刷処理で最初に搬送されたシートの種類を判定する。ここで、ステップＳ１５の処理は、制御部５の判定処理部５６により実行される。
【００８８】
例えば、制御部５は、前記第２テーブルデータによって特定される、変化量Ｄ１１に対応するシートの種類を、前記印刷処理で最初に搬送されたシートの種類であると判定する。
【００８９】
＜ステップＳ１６＞
ステップＳ１６において、制御部５は、ステップＳ１５で判定されたシートの種類に基づいて、設定温度Ｘ１を変更する。ここで、ステップＳ１６の処理は、制御部５の変更処理部５７により実行される。
【００９０】
例えば、制御部５は、前記第３テーブルデータによって特定される、ステップＳ１５によって判定されたシートの種類に対応する温度を、設定温度Ｘ１として設定する。これにより、シートの種類を検出する構成を設けることなく、シートの種類に応じた温度を設定温度Ｘ１として設定することが可能である。
【００９１】
なお、ステップＳ１５及びステップＳ１６の処理は省略されてもよい。
【００９２】
＜ステップＳ１７＞
ステップＳ１７において、制御部５は、ステップＳ１３によって取得される変化量Ｄ１１〜１６各々に基づいて、前記印刷処理で二番目以降に搬送されるシート各々の搬送期間中における第３タイミングＡ３（図５参照）から第４タイミングＡ４までの間における、取得時間Ｔ１ごとの加熱部３７３の出力の上昇率Ｕ１１〜Ｕ１５を設定する。ここに、ステップＳ１７の処理が、本発明における設定ステップの一例であって、制御部５の設定処理部５５により実行される。
【００９３】
例えば、制御部５は、前記第１テーブルデータに基づいて、変化量Ｄ１１に対応する上昇率Ｕ１１を取得する。そして、制御部５は、取得された上昇率Ｕ１１を前記ＲＡＭの前記記憶領域に格納することで、第３タイミングＡ３から取得時間Ｔ１が経過したタイミングまでの間における上昇率Ｕ１１を設定する。同様にして、制御部５は、変化量Ｄ１２〜Ｄ１５に基づいて、上昇率Ｕ１２〜Ｕ１５を設定する。
【００９４】
＜ステップＳ１８＞
ステップＳ１８において、制御部５は、第３タイミングＡ３が到来したか否かを判断する。
【００９５】
例えば、制御部５は、前記印刷処理で二番目以降に搬送されるシートがシートセンサー４７によって検出された時から、前記第１タイミング情報が示す時間が経過した場合に、第３タイミングＡ３が到来したと判断する。
【００９６】
ここで、制御部５は、第３タイミングＡ３が到来したと判断すると（Ｓ１８のＹｅｓ側）、処理をステップＳ１９に移行させる。また、第３タイミングＡ３が到来していなければ（Ｓ１８のＮｏ側）、制御部５は、ステップＳ１８で第３タイミングＡ３の到来を待ち受ける。
【００９７】
＜ステップＳ１９＞
ステップＳ１９において、制御部５は、ステップＳ１７によって設定された取得時間Ｔ１ごとの上昇率Ｕ１Ｘに応じて、前記駆動電力を上昇させる。ここに、ステップＳ１９の処理が、本発明における給電制御ステップの一例であって、制御部５の給電制御部５８により実行される。
【００９８】
例えば、制御部５は、第３タイミングＡ３（図５参照）から取得時間Ｔ１が経過したタイミングまでの間、上昇率Ｕ１１に基づいて電気信号Ｓｉｇ２のデューティー比を増大させる。具体的に、制御部５は、第３タイミングＡ３が到来する直前の前記駆動電力に上昇率Ｕ１１を乗算して得られる増加分だけ前記駆動電力の出力が増大するように、電気信号Ｓｉｇ２のデューティー比を増大させる。同様に、制御部５は、上昇率Ｕ１２〜Ｕ１５各々に基づいて電気信号Ｓｉｇ２のデューティー比を増大させる。
【００９９】
ここで、図６には、ステップＳ１９の処理が実行された場合における定着部材３７１の温度変化の一例が示されている。図６におけるＤ２０は、設定温度Ｘ１と、第３タイミングＡ３から第４タイミングＡ４までの間における定着部材３７１の最低温度との差を示している。なお、変化量Ｄ２０は、図４に示される変化量Ｄ１１〜Ｄ１５が合算された変化量Ｄ１０より小さい量である。
【０１００】
図６に示されるように、ステップＳ１９の処理が実行されることで、ステップＳ１９の処理が実行されない前記印刷処理における最初のシートの搬送期間中における定着部材３７１の温度変化（図４参照）と比較して、定着部材３７１の温度変化が抑制される。
【０１０１】
＜ステップＳ２０＞
ステップＳ２０において、制御部５は、前記印刷処理が終了したか否かを判断する。
【０１０２】
ここで、制御部５は、前記印刷処理が終了したと判断すると（Ｓ２０のＹｅｓ側）、前記温度制御処理を終了させる。また、前記印刷処理が終了していなければ（Ｓ２０のＮｏ側）、制御部５は、処理をステップＳ１８に移行させる。
【０１０３】
このように、画像形成装置１０では、前記印刷処理で最初に搬送されるシートの搬送期間中における温度センサー３７４による検出結果に基づいて、第１タイミングＡ１から取得時間Ｔ１ごとの定着部材３７１の温度の変化量Ｄ１１〜Ｄ１６が取得される。そして、取得された温度の変化量Ｄ１１〜Ｄ１６のうち、第２タイミングＡ２までの変化量Ｄ１１〜Ｄ１５に基づいて、前記印刷処理で二番目以降に搬送されるシート各々の搬送期間中における第３タイミングＡ３から第４タイミングＡ４までの間における、取得時間Ｔ１ごとの加熱部３７３の出力の上昇率Ｕ１１〜Ｕ１５が設定される。
【０１０４】
即ち、画像形成装置１０では、前記印刷処理の実行時における周辺温度及び印刷に用いられるシートの厚みなどの諸条件を反映した定着部材３７１の温度低下量が取得されて、当該温度低下量に基づいて設定された前記駆動電力の上昇量に応じたフィードフォワード制御が実行される。これにより、印刷時における諸条件が変化した場合でも、次のシートがニップ部Ｐ２に到達するまでの間に定着部材３７１の温度を設定温度Ｘ１に収束させることが可能である。
【符号の説明】
【０１０５】
１        ＡＤＦ
２        画像読取部
３        画像形成部
４        シート搬送部
５        制御部
１０      画像形成装置
３７      定着装置
５１      印刷処理部
５２      第１取得処理部
５３      第２取得処理部
５４      第３取得処理部
５５      設定処理部
５６      判定処理部
５７      変更処理部
５８      給電制御部
３７１    定着部材
３７２    加圧部材
３７３    加熱部
３７４    温度センサー
３７５    給電部
【図１】
2019056793.tif 000003
【図２】
2019056793.tif 000004
【図３】
2019056793.tif 000005
【図４】
2019056793.tif 000006
【図５】
2019056793.tif 000007
【図６】
2019056793.tif 000008